Podtech/llm-jp-corpus-v4-ja_patent huggingface dataset:
【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
下記のものを含む組成物：
ａ）少なくとも１種類のオメガ−３脂肪酸、
ｂ）少なくとも１種類のグリコサミノグリカン、
ｃ）少なくとも１種類のアミノ糖、
ｄ）少なくとも１種類の抗酸化剤、および
ｅ）カルニチンまたはアセチルカルニチン。
【請求項２】
オメガ−３脂肪酸が、アルファ−リノール酸（ＡＬＡ）、ドコサヘキサン酸（ＤＨＡ）およびエイコサペンタエン酸（ＥＰＡ）からなる群から選択される、請求項１に記載の組成物。
【請求項３】
グリコサミノグリカンが、コンドロイチン硫酸、デルマタン硫酸、ケラタン硫酸、ヘパリン、ヘパラン硫酸およびヒアルロナンからなる群から選択される、請求項１に記載の組成物。
【請求項４】
アミノ糖が、ガラクトサミン、グルコサミン、シアル酸およびＮ−アセチルグルコサミンからなる群から選択される、請求項１に記載の組成物。
【請求項５】
抗酸化剤が、ビタミンＣ、トコフェロール類、トコトリエノール類、グルタチオン、リポ酸、メラトニンおよびベータ−カロテンからなる群から選択される、請求項１に記載の組成物。
【請求項６】
さらに、少なくとも１種類の食物無機質を含む、請求項１〜５のいずれか１項に記載の組成物。
【請求項７】
食物無機質が、カルシウム、塩化物、マグネシウム、リン、カリウム、ナトリウム、コバルト、銅、フッ素、ヨウ素、鉄、マンガン、モリブデン、ニッケル、セレン、硫黄、亜鉛およびバナジウムからなる群から選択される、請求項６に記載の組成物。
【請求項８】
さらに、少なくとも１種類の必須アミノ酸を含む、請求項７に記載の組成物。
【請求項９】
ヒトを除く対象において異常な関節状態を処置する方法であって、その必要がある対象に請求項１に記載のいずれかの組成物を投与することを含む方法。
【請求項１０】
異常な関節状態が、骨関節炎、リウマチ性関節炎、および局所関節炎症である、請求項９に記載の方法。
【請求項１１】
ヒトを除く対象において異常な関節状態の発症を遅延させる方法であって、その必要がある対象に請求項１に記載のいずれかの組成物を投与することを含む方法。
【請求項１２】
異常な関節状態が、骨関節炎、リウマチ性関節炎、および局所関節炎症である、請求項１１に記載の方法。
【請求項１３】
ヒトを除く対象において対象が異常な関節状態に罹患するリスクを低下させる方法であって、その必要がある対象に請求項１に記載の組成物を投与することを含む方法。
【請求項１４】
異常な関節状態が、骨関節炎、リウマチ性関節炎、および局所関節炎症である、請求項１３に記載の方法。
【請求項１５】
ヒトを除く対象において１種類以上の遺伝子の発現を変化させる方法であって、その必要がある対象に請求項１に記載のいずれかの組成物を投与することを含み、１種類以上の遺伝子がアネキシンＡ１、カテプシンＤ、カテプシンＦ、カテプシンＳ、ＲＥＬＡ、ＨＭＧＢ１、ＩＬ−１β、ＴＮＦα、ＴＮＦβ、ＴＬＲ−２、ＴＬＲ−４、ｐ３８  ＭＡＰＫ、ＴＩＭＰ−１、ＴＩＭＰ−２、ＭＭＰ−１、ＭＭＰ−２、ＭＭＰ−１３、ＩＬ−１５およびＩＬ−１７受容体からなる群から選択される方法。
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
30〜70%のN-（2-アミノ-4-（フルオロベンジルアミノ)-フェニル）カルバミン酸エチルエステル（レチガビン）又は医薬として許容し得るその塩、溶媒和物、若しくは水和物；
5〜30％のヒドロキシプロピルメチルセルロース(HPMC)を含む薬物送達マトリックス；
1.0〜10％のアニオン性界面活性剤及び
腸溶性ポリマーを含む放出調節医薬製剤であって、
被験者への投与後に、前記レチガビンの80％のインビトロ放出に要する時間より4〜20時間長く、前記レチガビンの持続した血漿濃度を生み出す、前記放出調節医薬製剤。
【請求項２】
前記アニオン性界面活性剤がドデシル硫酸ナトリウム又はラウリル硫酸ナトリウムである、請求項１記載の製剤。
【請求項３】
前記腸溶性ポリマーが、ポリビニルアセタートフタラート、ヒドロキシプロピルメチルセルロースアセタートスクシナート(HPMC-AS)、及びメチルメタクリラートと、メタクリル酸と、メチルアクリラートとの2種以上のコポリマーから選択される、請求項１記載の製剤。
【請求項４】
5〜40%の結合剤をさらに含む、請求項１記載の製剤。
【請求項５】
前記結合剤が微結晶性セルロースを含む、請求項４記載の製剤。
【請求項６】
前記結合剤がヒドロキシプロピルメチルセルロースをさらに含む、請求項５記載の製剤。
【請求項７】
前記結合剤がコポビドンをさらに含む、請求項５記載の製剤。
【請求項８】
0.5〜10%の崩壊剤をさらに含む、請求項１記載の製剤。
【請求項９】
前記崩壊剤がクロスポビドンを含む、請求項８記載の製剤。
【請求項１０】
前記崩壊剤がクロスカルメロースナトリウムをさらに含む、請求項９記載の製剤。
【請求項１１】
滑沢剤をさらに含む、請求項１記載の製剤。
【請求項１２】
前記滑沢剤がステアリン酸マグネシウムを含む、請求項１１記載の製剤。
【請求項１３】
流動促進剤をさらに含む、請求項１記載の製剤。
【請求項１４】
前記流動促進剤が二酸化ケイ素を含む、請求項１３記載の製剤。
【請求項１５】
レチガビンが、5mgから500mgの範囲の服用量で投与される、請求項１記載の製剤。
【請求項１６】
レチガビンが、100mgから500mgの範囲の服用量で投与される、請求項１５記載の製剤。
【請求項１７】
30〜70%のN-（2-アミノ-4-（フルオロベンジルアミノ)-フェニル）カルバミン酸エチルエステル（レチガビン）又は医薬として許容し得るその塩、溶媒和物、若しくは水和物；5〜30％の薬物送達マトリックス、及び胃環境中での放出を妨げるための薬剤を含む製剤であって、血漿濃度対時間のプロファイルが、4時間から36時間継続する長期間にわたり実質的に平坦であり、かつ、前記送達マトリックスが、ヒドロキシプロピルメチルセルロース、ヒドロキシプロピルセルロース、ポリエチレンオキシド、及びポリビニルアセタートとポリビニルピロリドンとのコポリマーから選択される、前記製剤。
【請求項１８】
200mg服用量に対し、絶食条件下で、100ng/mLから300ng/mLのCmax、又はその90%信頼区間の生成をさらに含む、請求項１７記載の製剤。
【請求項１９】
400mg服用量に対し、4000から10,000ng*hr/Lである濃度−時間曲線下の面積(AUC0-inf)、又はその90％信頼区間の生成をさらに含む、請求項１７記載の製剤。
【請求項２０】
胃環境中での放出を妨げる薬剤が腸溶性コーティングを含む、請求項１７記載の製剤。
【請求項２１】
神経系の過興奮により特徴づけられる疾患を治療するための、請求項１又は１７に記載の医薬製剤。
【請求項２２】
神経系の過興奮により特徴づけられる前記疾患が発作性疾患を含む、請求項２１記載の医薬製剤。
【請求項２３】
前記医薬製剤が抗発作作用、筋弛緩作用、解熱作用、末梢鎮痛作用、又は抗痙攣作用を生み出す、請求項２１記載の医薬製剤。
【請求項２４】
神経系の過興奮により特徴づけられる前記疾患が、電位開口型カリウムチャネルの活性化により特徴づけられる疾患をさらに含む、請求項２１記載の医薬製剤。
【請求項２５】
前記医薬製剤が、KCNQ2/3チャネルのチャネル開口確率の増大又はニューロンM電流の増加をもたらす、請求項２１記載の医薬製剤。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
ジアルキルスルフィドを金属アルコラート、及び、任意に、少なくとも一種のアルカリ若しくはアルカリ土類金属と接触させる工程を含むジアルキルスルフィドの精製方法。
【請求項２】
ジアルキルスルフィドは、ジメチルスルフィド、ジエチルスルフィド、メチルエチルスルフィド、メチルイソプロピルスルフィド、又はチオキサンである請求項１に記載の方法。
【請求項３】
ジアルキルスルフィドを、少なくとも一種の金属アルコラート及び少なくとも一種のアルカリ若しくはアルカリ土類金属と接触させる請求項１又は２に記載の方法。
【請求項４】
ジアルキルスルフィドを、カリウムｔｅｒｔ−ブトキシド及びナトリウム−カリウム合金と接触させる請求項１〜３の何れか１項に記載の方法。
【請求項５】
ジアルキルスルフィドを、少なくとも一種の金属アルコラート及び少なくとも一種のアルカリ若しくはアルカリ土類金属と単一の工程中で同時に接触させる請求項１〜４の何れか１項に記載の方法。
【請求項６】
ａ）ジアルキルスルフィドを少なくとも一種の塩基及び／又は少なくとも一種のアルカリ若しくはアルカリ土類金属と接触させ、
前記塩基は、金属アルコラート、金属酸化物、金属若しくはアルキルアンモニウム水酸化物、金属若しくはアルキルアンモニウム炭酸塩、金属エノラート、金属アミド、又は金属水素化物であり、
前記金属は、アルカリ金属、アルカリ土類金属、又は元素の周期表のＩＩＩａ〜ＶＩＩＩａ、Ｉｂ及びＩＩｂ族の金属である工程、及び
ｂ）工程ａ）の生成物をハロゲン化アルキル又はハロゲン化ベンジルと反応させる工程、及び
ｃ）ジアルキルスルフィドを留去する工程
を含むジアルキルスルフィドの精製方法。
【請求項７】
ジアルキルスルフィドを、工程ａ）中において金属アルコラート、及び、任意に、少なくとも一種のアルカリ若しくはアルカリ土類金属と接触させる請求項６に記載の方法。  
【請求項８】
ａ）ジアルキルスルフィドを、少なくとも一種の塩基及び／又は少なくとも一種のアルカリ若しくはアルカリ土類金属と接触させ、
前記塩基は、金属アルコラート、金属酸化物、金属若しくはアルキルアンモニウム水酸化物、金属若しくはアルキルアンモニウム炭酸塩、金属エノラート、金属アミド、又は金属水素化物であり、
前記金属は、アルカリ金属、アルカリ土類金属、及び元素の周期表のＩＩＩａ〜ＶＩＩＩａ、Ｉｂ及びＩＩｂ族の金属からなる群から選択される工程、及び
ｂ）工程ａ）の生成物をハロゲン化アルキル又はハロゲン化ベンジルと反応させる工程、及び
ｃ）ジアルキルスルフィドを留去する工程、及び
ｄ）工程ａ）〜工程ｃ）により精製したジアルキルスルフィドをジボランと反応させる工程
を含むジアルキルスルフィドボラン錯体の製造方法。
【請求項９】
ジアルキルスルフィドは、ジメチルスルフィドである請求項８の方法。
【請求項１０】
請求項８又は９に記載の方法により得られるジアルキルスルフィドボラン錯体を還元剤として用いることを含むエナンチオ選択的還元方法。
【請求項１１】
エナンチオ選択的還元は、プロキラルケトン又はイミンの還元である請求項１０に記載の方法。
【請求項１２】
エナンチオ選択的還元を、触媒としてのテトラヒドロ−１−メチル−３，３−ジフェニル−１Ｈ，３Ｈ−ピロロ［１，２−ｃ］［１，３，２］オキサザボロール又は２−［（１，３，２−ジオキサザボロラン−２−イルオキシ）ジフェニルメチル］ピロリジンの存在下に実施する請求項１０又は１１に記載の方法。
【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
下記式を有する、(2S)-2-メチル-1-[(2-メチル-3-ピリジニル)カルボニル]-4-{[4-(トリフルオロメチル)フェニル]スルホニル}ピペラジン、又はその医薬として許容し得る塩である、化合物：
【化１】
2011528020.tif 000001
。
【請求項２】
(2S)-2-メチル-1-[(2-メチル-3-ピリジニル)カルボニル]-4-{[4-(トリフルオロメチル)フェニル]スルホニル}ピペラジン、又は(2S)-2-メチル-1-[(2-メチル-3-ピリジニル)カルボニル]-4-{[4-(トリフルオロメチル)フェニル]スルホニル}ピペラジン塩酸塩である、請求項１記載の化合物。
【請求項３】
(2S)-2-メチル-1-[(2-メチル-3-ピリジニル)カルボニル]-4-{[4-(トリフルオロメチル)フェニル]スルホニル}ピペラジンである、請求項１又は２記載の化合物。
【請求項４】
請求項１〜３のいずれか１項記載の化合物又はその医薬として許容し得る塩を含む、医薬組成物。
【請求項５】
疼痛の治療において使用するための、請求項１〜３のいずれか１項記載の化合物又はその医薬として許容し得る塩。
【請求項６】
前記疼痛が、急性疼痛、慢性疼痛、慢性関節痛、筋骨格痛、神経因性疼痛、炎症性疼痛、内臓痛、癌関連疼痛、片頭痛関連疼痛、緊張性頭痛及び群発頭痛、腸機能障害と関連した疼痛、腰痛及び頚部痛、捻挫及び挫傷と関連した疼痛、交感神経依存性疼痛；筋炎、インフルエンザ又は感冒などの他のウイルス感染と関連した疼痛、リウマチ熱と関連した疼痛、心筋虚血と関連した疼痛、術後痛、癌化学療法、頭痛、歯痛、及び月経困難を含む、請求項５記載の化合物。
【請求項７】
前記疼痛が、神経因性疼痛を含む、請求項６記載の化合物。
【請求項８】
前記疼痛が、腰痛及び頚部痛を含む、請求項６記載の化合物。
【請求項９】
前記疼痛が、炎症性疼痛、又は、関節リウマチ、骨関節炎、リウマチ性脊椎炎、痛風性関節炎、及び若年性関節炎を含む慢性関節痛である、請求項５又は６記載の化合物。
【手続補正書】
【提出日】平成24年7月6日(2012.7.6)
【手続補正１】
【補正対象書類名】明細書
【補正対象項目名】００２１
【補正方法】変更
【補正の内容】
【００２１】
ここで使用する用語“アルキル”は、分枝または非分枝炭化水素部分を意味する。好ましくはアルキルは１〜２０個の炭素原子、より好ましくは１〜１６個の炭素原子、１〜１０個の炭素原子、１〜７個の炭素原子または１〜４個の炭素原子を含む。アルキルの代表例は、メチル、エチル、ｎ−プロピル、イソプロピル、ｎ−ブチル、ｓｅｃ−ブチル、イソブチル、ｔｅｒｔ−ブチル、ｎ−ペンチル、イソペンチル、ネオペンチル、ｎ−ヘキシル、３−メチルヘキシル、２,２−ジメチルペンチル、２,３−ジメチルペンチル、ｎ−ヘプチル、ｎ−オクチル、ｎ−ノニル、ｎ−デシルなどを含み、これらに限定されない。アルキル基が１個以上の不飽和結合を含むとき、それはアルケニル(二重結合)基またはアルキニル(三重結合)基と呼んでよい。さらに、アルキル基がアリール基(以下に定義)と結合しているとき、それは“アリールアルキル”基と呼んでよい。
【手続補正２】
【補正対象書類名】明細書
【補正対象項目名】００７０
【補正方法】変更
【補正の内容】
【００７０】
本発明の化合物は価値ある薬理学的特性を有し、それらは、マトリックスメタロプロテイナーゼ類、例えばマトリックスメタロプロテイナーゼ１３(ＭＭＰ−１３)またはＭＭＰ−１２の阻害剤として有用である。マクロファージエラスターゼまたはメタロエラスターゼとしても知られるＭＭＰ１２は、細胞外マトリックス成分、例えばエラスチンの分解ができ、組織リモデリング過程に含まれる。ＭＭＰ−１２は、腫瘍侵襲(invasineness)、関節炎、アテローム性動脈硬化症、アルポート症候群、および慢性閉塞性肺疾患(ＣＯＰＤ)の病理発生(pathologenesis)における鍵となるタンパク質であるとして示されている。コラゲナーゼ３としても既知のＭＭＰ−１３は、(１)特に侵襲性乳癌病変でおよび皮膚発癌における悪性上皮成長で見られる通りの転移と関連する細胞外マトリックス分解および細胞−マトリックス相互作用；および(２)一次骨形成および骨格リモデリング(M. Stahle-Backdahl et al., (1997) Lab. Invest. 76 (5) : 717-728; N. Johansson et al., (1997) Dev. Dyn. 208(3): 387-397)、破壊的関節疾患、例えばリウマチ様および骨関節炎(D. Wernicke et al., (1996) J. Rheumatol. 23: 590-595; P. G. Mitchell et al., (1996) J. Clin. Invest. 97(3): 761-768; O. Lindy et al., (1997) Arthritis Rheum 40(8: 1391-1399)；および人工股関節置換の敗血症性の緩み(S. Imai et al., (1998) J. Bone Joint Surg. Br. 80(4): 701- 710)の間に示される。ＭＭＰ１３はまた、慢性的に炎症を起こした粘膜ヒト歯肉組織の上皮に局在化しているため慢性成人歯周炎に(V. J. Uitto et al., (1998) Am. J. Pathol 152(6): 1489-1499)および慢性創傷のコラーゲン性マトリックスのリモデリングに(M. Vaalamo et al., (1997) J. Invest. Dermatol. 109(1): 96-101)関与する。
【手続補正３】
【補正対象書類名】明細書
【補正対象項目名】００７７
【補正方法】変更
【補正の内容】
【００７７】
経口投与用の適当な組成物は、錠剤、ロゼンジ剤、水性または油性懸濁液、分散性粉末剤または顆粒剤、エマルジョン、硬または軟カプセル剤またはシロップ剤またはエリキシル剤の形で、有効量の本発明の化合物を含む。経口使用が意図される組成物は、医薬組成物の製造の分野で既知の任意の方法に従い製造し、かかる組成物は、薬学的に洗練され、かつ味のよい製剤を提供するために甘味剤、香味剤、着色剤および保存剤から成る群から選択される１個以上の薬剤を含み得る。錠剤は、活性成分を、錠剤の製造に適当な非毒性薬学的に許容される賦形剤との混合物で含む。これらの賦形剤は、例えば、不活性希釈剤、例えば炭酸カルシウム、炭酸ナトリウム、ラクトース、リン酸カルシウムまたはリン酸ナトリウム；造粒および崩壊剤、例えば、コーンデンプンまたはアルギン酸；結合剤、例えば、デンプン、ゼラチンまたはアカシア；および滑剤、例えばステアリン酸マグネシウム、ステアリン酸またはタルクである。錠剤はコーティングされていないか、または胃腸管での崩壊および吸収を遅延し、それにより長時間にわたり持続した作用を提供するために既知の方法でコーティングされている。例えば、時間遅延物質、例えばグリセリルモノステアレートまたはグリセリルジステアレートを用いることができる。経口使用のための製剤は、活性成分が不活性固体希釈剤、例えば、炭酸カルシウム、リン酸カルシウムまたはカオリンと混合されている硬ゼラチンカプセル剤として、または活性成分が水または油媒体、例えば、ピーナツ油、液体パラフィンまたはオリーブ油と混合されている軟ゼラチンカプセルとして提供できる。
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
式ＩＩの塩又はその多形体：
【化１】
2011528037.tif 000001
（式中、ｍは０〜８の整数であり、ｎは０〜８の整数であり、ＸはＣａ（ＯＨ）２、Ｍｇ（ＯＨ）２、酢酸マグネシウム、ＫＯＨ、ＮａＯＨ、Ｚｎ（ＯＨ）２、酢酸亜鉛およびＺｎ（ＯＨ）２／Ｍｇ（ＯＨ）２から選択される対イオンである）。
【請求項２】
Ｘが、Ｃａ（ＯＨ）２、Ｍｇ（ＯＨ）２、ＫＯＨ、Ｚｎ（ＯＨ）２から選択される請求項１に記載の塩又はその多形体。
【請求項３】
ＸがＭｇ（ＯＨ）２である請求項２に記載の塩又はその多形体。
【請求項４】
ｍが２であり、ｎが３である請求項１に記載の塩又はその多形体。
【請求項５】
ｍが２であり、ｎが２である請求項１に記載の塩又はその多形体。
【請求項６】
マグネシウム（Ｓ）−２−（２−ヒドロキシ−３−（２−（２−（２−メトキシエトキシ）エトキシ）エトキシ）フェニル）−４−メチル−４，５−ジヒドロチアゾール−４−カルボキシレートヒドロキシドである請求項３記載の塩又はその多形体。
【請求項７】
請求項６に記載のマグネシウム（Ｓ）−２−（２−ヒドロキシ−３−（２−（２−（２−メトキシエトキシ）エトキシ）エトキシ）フェニル）−４−メチル−４，５−ジヒドロチアゾール−４−カルボキシレートヒドロキシドの塩の形態Ａ多形体。
【請求項８】
前記形態Ａが、図７に示されるものと少なくとも８０％同一であるＸ線粉末回折のパターンを有する請求項７に記載の多形体。
【請求項９】
前記多形体が形態Ｂ、形態Ｃおよび非晶質より選択される請求項６に記載の多形体。
【請求項１０】
少なくとも１つの薬学上許容可能な賦形剤と一緒に請求項１に記載の塩又はその多形体を含む医薬組成物。
【請求項１１】
少なくとも１つの薬学上許容可能な賦形剤と一緒に、マグネシウム（Ｓ）−２−（２−ヒドロキシ−３−（２−（２−（２−メトキシエトキシ）エトキシ）エトキシ）フェニル）−４−メチル−４，５−ジヒドロチアゾール−４−カルボキシレートヒドロキシドの形態Ａ多形体を含む請求項１０記載の医薬組成物。
【請求項１２】
金属の過負荷の治療用医薬の製造における請求項１に記載の塩又はその多形体の使用。
【請求項１３】
前記金属が鉄である請求項１２に記載の使用。
【請求項１４】
前記金属がランタニド又はアクチニドである請求項１２に記載の使用。
【請求項１５】
鉄の過負荷の治療用医薬の製造における請求項７に記載のマグネシウム（Ｓ）−２−（２−ヒドロキシ−３−（２−（２−（２−メトキシエトキシ）エトキシ）エトキシ）フェニル）−４−メチル−４，５−ジヒドロチアゾール−４−カルボキシレートヒドロキシドの形態Ａ多形体の使用。
【請求項１６】
式ＩＩＩの塩又はその多形体：
【化２】
2011528037.tif 000002
（式中、ｍは０〜８の整数であり、ｎは０〜８の整数であり、ＸはＮ−メチル−ｄ−グルカミン（ＮＭＧ）、ピペラジン、トロメタミン、Ｃａ（ＯＨ）２、Ｌ−リジン、Ｌ−アルギニン、Ｍｇ（ＯＨ）２、ＮａＯＨ、Ｌ−ヒスチジン、ＮａＯＡｃおよびＨＣｌから選択される対イオンである）。
【請求項１７】
ｍが２であり、ｎが３である請求項１６に記載の塩又はその多形体。
【請求項１８】
ｍが２であり、ｎが２である請求項１６に記載の塩又はその多形体。
【請求項１９】
１，３−ジヒドロキシ−２−（ヒドロキシメチル）プロパン−２−アミニウム（Ｓ）−２−（２−ヒドロキシ−４−（２−（２−（２−メトキシエトキシ）エトキシ）エトキシ）フェニル）−４−メチル−４，５−ジヒドロチアゾール−４−カルボキシレートである請求項１６に記載の塩又はその多形体。
【請求項２０】
少なくとも１つの薬学上許容可能な賦形剤と一緒に請求項１６に記載の塩又はその多形体を含む医薬組成物。
【請求項２１】
１，３−ジヒドロキシ−２−（ヒドロキシメチル）プロパン−２−アミニウム（Ｓ）−２−（２−ヒドロキシ−４−（２−（２−（２−メトキシエトキシ）エトキシ）エトキシ）フェニル）−４−メチル−４，５−ジヒドロチアゾール−４−カルボキシレート又はその多形体を含む請求項２０記載の医薬組成物。
【請求項２２】
金属の過負荷の治療用医薬の製造における請求項１６に記載の塩又はその多形体の使用。
【請求項２３】
前記金属が鉄である請求項２２に記載の使用。
【請求項２４】
前記金属がランタニド又はアクチニドである請求項２２に記載の使用。
【請求項２５】
金属の過負荷の治療用医薬の製造における請求項１９に記載の１，３−ジヒドロキシ−２−（ヒドロキシメチル）プロパン−２−アミニウム（Ｓ）−２−（２−ヒドロキシ−４−（２−（２−（２−メトキシエトキシ）エトキシ）エトキシ）フェニル）−４−メチル−４，５−ジヒドロチアゾール−４−カルボキシレート又はその多形体の使用。
【手続補正書】
【提出日】平成24年7月5日(2012.7.5)
【手続補正１】
【補正対象書類名】特許請求の範囲
【補正対象項目名】全文
【補正方法】変更
【補正の内容】
【特許請求の範囲】
【請求項１】
a.極性基を有する第1の脂質に関連する生分解性ポリマーと、
b.少なくとも14の炭素からなる炭化水素鎖を有する少なくとも1つのリン脂質を含む第2の脂質と、
c.少なくとも1つの薬学的活性物質とを含み、本質的に水が無く、前記薬学的活性物質の徐放を付与するのに適するようにした基質組成物。
【請求項２】
前記リン脂質が、少なくとも14の炭素を有する脂肪酸部分を含むホスファチジルコリンである請求項1に記載の基質組成物。
【請求項３】
前記生分解性ポリマーが、PLA（ポリ乳酸）、PGA（ポリグリコール酸）、PLGA（ポリ（乳酸−グリコール酸）からなる群から選択された生分解性ポリエステルである請求項1に記載の基質組成物。
【請求項４】
前記薬学的活性物質が、抗生物質、抗真菌薬、非ステロイド抗炎症薬、ステロイド、抗癌剤、骨原性因子および骨吸収抑制剤から選択される請求項1に記載の基質組成物。
【請求項５】
前記極性基を有する第1の脂質がステロールを含む請求項1に記載の基質組成物。
【請求項６】
前記生分解性ポリマーに対する全脂質の質量比が、1.5:1〜9:1である請求項1に記載の基質組成物。
【請求項７】
前記基質組成物が均質である請求項1に記載の基質組成物。
【請求項８】
トコフェロールを更に含む請求項1に記載の基質組成物。
【請求項９】
スフィンゴ脂質；14以上の炭素原子を有する遊離脂肪酸；ホスファチジルセリン、ホスファチジルグリセロールおよびホスファチジルイノシトールからなる群から選択される追加のリン脂質；並びに、コラーゲン分子、フィブリン分子およびヘパリンからなる群から選択される標的分子と相互作用可能な標的部分；からなる群から選択される化合物を更に含む請求項１に記載の基質組成物。
【請求項１０】
ペグ化脂質を更に含む請求項1に記載の基質組成物。
【請求項１１】
前記ステロールがコレステロールである請求項5に記載の基質組成物。
【請求項１２】
前記コレステロールが前記基質組成物の総脂質含有量の5〜50モル%の量で存在する請求項11に記載の基質組成物。
【請求項１３】
前記薬学的活性物質の少なくとも50%がゼロ次速度過程で前記組成物から放出される薬学的活性物質の徐放用の請求項1に記載の基質組成物。
【請求項１４】
請求項1に記載の基質組成物を含むインプラント。
【請求項１５】
請求項1に記載の基質組成物を含む薬学的活性物質の徐放用の医薬組成物。
【請求項１６】
請求項1に記載の基質組成物を含み、薬学的活性物質が抗生物質、抗真菌薬および非ステロイド抗炎症薬から選択される、必要とする被検体の歯周炎の治療用医薬組成物。
【請求項１７】
請求項1に記載の基質組成物を含み、薬学的活性物質が骨原性因子および骨吸収抑制剤から選択される、必要とする被検体の骨増生の刺激用医薬組成物。
【請求項１８】
基板と、前記基板の少なくとも一部分上に堆積させた生体適合性コーティングとを備え、該生体適合性コーティングが請求項1に記載の基質組成物を含む医療装置。
【請求項１９】
前記生体適合性コーティングが多層を含む請求項18に記載の医療装置。
【請求項２０】
前記基板が、ヒドロキシアパタイト、ステンレス鋼、コバルトクロム、チタン合金、タンタル、セラミック、ゼラチンからなる群から選択される少なくとも1つの材料を含む請求項18に記載の医療装置。
【請求項２１】
整形外科用爪、整形外科用ねじ、整形外科用ステープル、整形外科用ワイヤ、整形外科用ピン、金属またはポリマーインプラント、骨充填材粒子、コラーゲンおよび非コラーゲンメンブレン、縫合材料、整形外科用セメント、スポンジから選択される基板のコーティング用の請求項1に記載の組成物の使用。
【請求項２２】
基質組成物を製造するに当たり、
a.  第1の揮発性有機溶媒に（i）生分解性ポリマーと、（ii）極性基を有する第1の脂質とを混合するステップと、
b.  第2の揮発性有機溶媒に（i）少なくとも1つの薬学的活性物質と、（ii）少なくとも14の炭素からなる炭化水素鎖を有するリン脂質から選択した第2の脂質とを混合するステップと、
c.  前記ステップ（a）および（b）で得られた生成物を混合して均質混合物を生成するステップと、
d.  前記揮発性有機溶媒を蒸発させて均質基質組成物を生成するステップとを備え、前記各ステップが実質的に水溶液の無いものである請求項1に記載の基質組成物の製造方法。
【手続補正２】
【補正対象書類名】明細書
【補正対象項目名】０１０９
【補正方法】変更
【補正の内容】
【０１０９】
他の実施形態では、本発明の組成物が更にペグ化(pegylated)脂質を含む。他の実施形態では、PEG部分が500〜5000ダルトンのMWを有する。他の実施形態では、PEG部分が他の任意の適切なMWを有する。適切なPEG修飾脂質の非限定的な例としては、メトキシ末端基を有するPEG部分、例えば以下に示すようなPEG修飾ホスファチジルエタノールアミンおよびホスファチジン酸（構造AおよびB）、PEG修飾ジアシルグリセロールおよびジアルキルグリセロール（構造CおよびD）、PEG修飾ジアルキルアミン（構造E）、およびPEG修飾1,2-ジアシルオキシプロパン-3-アミン（構造F）が挙げられる。他の実施形態では、PEG部分が当業界で用いる他の任意の末端基を有する。他の実施形態では、ペグ化脂質をPEG修飾ホスファチジルエタノールアミン、PEG修飾ホスファチジン酸、PEG修飾ジアシルグリセロール、PEG修飾ジアルキルグリセロール、PEG修飾ジアルキルアミンおよびPEG修飾1,2-ジアシルオキシプロパン-3-アミンからなる群から選択する。他の実施形態では、ペグ化脂質が当業界で既知の他の任意のペグ化リン脂質である。各可能性は本発明の別々の実施形態を表す。
【手続補正３】
【補正対象書類名】明細書
【補正対象項目名】０１１１
【補正方法】変更
【補正の内容】
【０１１１】
ペグ化脂質は、基質組成物中に全脂質の10モル%未満の量で存在するのが好ましい。他の実施形態では、この割合が全脂質の9モル%未満である。他の実施形態では、この割合が8モル%未満である。他の実施形態では、この割合が7モル%未満である。他の実施形態では、この割合が6モル%未満である。他の実施形態では、この割合が5モル%未満である。他の実施形態では、この割合が4モル%未満である。他の実施形態では、この割合が3モル%未満である。他の実施形態では、この割合が2モル%未満である。他の実施形態では、この割合が1モル%未満である。各可能性は本発明の別々の実施形態を表す。
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
１つ又はそれよりも多くのインペラと、
１つ又はそれよりも多くの電力変換装置と、
１つ又はそれよりも多くの集風翼とを含み、
該１つ又はそれよりも多くの集風翼は、静空気圧の降下を誘発するために、使用中に風の流れと反応するよう、前記１つ又はそれよりも多くのインペラ及び前記１つ又はそれよりも多くの電力変換装置に関して支持され、次に、前記静空気圧の降下は、前記１つ又はそれよりも多くのインペラ及び前記１つ又はそれよりも多くの電力変換装置を駆動するために使用され、前記１つ又はそれよりも多くの集風翼は、ロガロ翼を含み、
各ロガロ翼は、前端と後縁とを有する空力シートによって形成され、前記後縁は、前記前縁から離れる方向に増大する凹面を有するシートを形成するよう湾曲され、
各ロガロ翼は、前記空力シートの両側に前記前縁と前記後縁との間に延在する屈曲縁部を含み、該屈曲縁部は、一体型リブを含み、
隣接するロガロ翼は、前記屈曲縁部のそれぞれに沿って一体的に接続され、ロガロ翼の配列を形成する、
風力エネルギ抽出装置。
【請求項２】
前記隣接するロガロ翼のそれぞれの屈曲縁部は、共にリベット締めされる、請求項１に記載の風力エネルギ抽出装置。
【請求項３】
前記ロガロ翼の配列のそれぞれは、支持フィンの間のケーブルによって支持される、請求項１又は２に記載の風力エネルギ抽出装置。
【請求項４】
前記ケーブルは、更に、少なくとも、第一支持ケーブルと、第二支持ケーブルとを含み、前記第一支持ケーブルは、前記相互接続されるロガロ翼の配列の前記前縁のそれぞれの上の中空端部を通じて配置され、前記第二支持ケーブルは、前記２つの折畳み縁部のそれぞれの上のループを通じて配置される、請求項３に記載の風力エネルギ抽出装置。
【請求項５】
各ロガロ翼の前記空力シートは、金属シートを含む、請求項１乃至４のうちのいずれか１項に記載の風力エネルギ抽出装置。
【請求項６】
各ロガロ翼の前記金属シートは、アルミニウムシートを含む、請求項５に記載の風力エネルギ抽出装置。
【請求項７】
前記ロガロ翼の各配列は、直線配列である、請求項１に記載の風力エネルギ抽出装置。
【請求項８】
前記１つ又はそれよりも多くの集風翼は、少なくとも２つの集風翼を含み、各集風翼は、前記ロガロ翼の直線配列であり、前記１つ又はそれよりも多くのインペラの両側に配置される、請求項１に記載の風力エネルギ抽出装置。
【請求項９】
１つ又はそれよりも多くのインペラと、
１つ又はそれよりも多くの電力変換装置と、
１つ又はそれよりも多くの集風翼とを含み、
該１つ又はそれよりも多くの集風翼は、静空気圧の降下を誘発するために、使用中に風の流れと反応するよう、前記１つ又はそれよりも多くのインペラ及び前記１つ又はそれよりも多くの電力変換装置に関して支持され、次に、前記静空気圧の降下は、前記１つ又はそれよりも多くのインペラ及び前記１つ又はそれよりも多くの電力変換装置を駆動するために使用され、前記１つ又はそれよりも多くの集風翼の各々は、ロガロ翼の配列を含み、
前記ロガロ翼の配列の各ロガロ翼は、前縁と後縁とを有する空力シートによって形成され、前記後縁は、前記前縁から離れる方向に増大する凹面を有するシートを形成するよう湾曲され、
前記ロガロ翼の配列の各ロガロ翼は、前記空力シートの両側に前記前縁と前記後縁との間に延在する側縁部を含み、
前記ロガロ翼の各配列における隣接するロガロ翼は、前記側縁部のそれぞれに沿って一体的に接続され、ロガロ翼の直線配列を形成する、
風力エネルギ抽出装置。
【請求項１０】
２つ又はそれよりも多くのインペラ及び２つ又はそれよりも多くの電力変換装置があり、前記１つ又はそれよりも多くの集風翼は、静空気圧の降下を誘発するために、使用中に風の流れと反応し、次に、前記静空気圧の降下は、前記２つ又はそれよりも多くのインペラ及び前記２つ又はそれよりも多くの電力変換装置を駆動するために使用される、請求項９に記載の風力エネルギ抽出装置。
【請求項１１】
前記１つ又はそれよりも多くの集風翼は、少なくとも２つの集風翼を含み、各集風翼は、前記ロガロ翼の直線配列であり、前記２つ又はそれよりも多くのインペラの両側に配置される、請求項１０に記載の風力エネルギ抽出装置。
【誤訳訂正書】
【提出日】平成24年7月17日(2012.7.17)
【誤訳訂正１】
【訂正対象書類名】明細書
【訂正対象項目名】００１１
【訂正方法】変更
【訂正の内容】
【００１１】
上記環系QH は夫々必要により互いに独立に１個以上の水素を有する環原子の位置でRa及び／又はRbにより置換されていてもよく、
R8 はRaを表し、
Ｂは=CR9R10 又は=NR11を表し、
R9 は基Ra1 を表し、かつR10 は基Ra2 を表し、又は
=CR9R10 は必要により１個以上の同じ又は異なるRa 及び／又はRbにより置換されていてもよい、5-12 員ヘテロアリールもしくは5-14 員ヘテロシクロアルキルを表し、
R11 は基Ra3を表し、
Ra1 はC1-6アルキル、C1-6ハロアルキル、2-6 員 ヘテロアルキル、C3-10シクロアルキル、C6-10アリール、5-12 員 ヘテロアリール及び3-14 員 ヘテロシクロアルキルの中から選ばれた、必要により１個以上の同じ又は異なるRb 及び／又はRcにより置換されていてもよい基、或いは
-ORc、-SRc、-NRcRc、-ONRcRc、-N(ORc)Rc、-NRgNRcRc、-NRgC(O)Rc、-NRgC(O)ORc、-NRgC(O)NRcRc、-NRgC(O)NRgNRcRc、-NRgC(NRg)Rc、-NRgC(NRg)ORc、-NRgC(NRg)NRcRc、-NRgC(NORg)Rc, -NRgS(O)2Rc、-NRgNRgC(O)Rc、-NRgNRgC(O)NRcRc 及び-NRgNRgC(NRg)Rcの中から選ばれた好適な置換基を表し、
Ra2 は水素又はC1-6アルキル、C1-6ハロアルキル、2-6 員ヘテロアルキル、C3-10シクロアルキル、C6-10アリール、5-12員 ヘテロアリール及び3-14 員ヘテロシクロアルキルの中から選ばれた、必要により１個以上の同じ又は異なるRb 及び／又はRcにより置換されていてもよい基、或いは
-CN、-C(O)Rc、-C(O)ORc、-C(O)NRcRc、-C(O)SRc、-C(O)NRgNRcRc 及び-C(O)NRgORcの中から選ばれた好適な置換基であり、
Ra3 はC1-6アルキル、C1-6ハロアルキル、2-6 員ヘテロアルキル、C3-10シクロアルキル、C6-10アリール、5-12 員ヘテロアリール及び3-14 員ヘテロシクロアルキルの中から選ばれた、必要により１個以上の同じ又は異なるRb 及び／又はRcにより置換されていてもよい基、或いは
-ORc 及び-NRcRcの中から選ばれた好適な置換基であり、
【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
式(１)
【化１】
2011528030.tif 000001
の化合物、またはその薬学的に許容される塩。
【請求項２】
式(１)で示される、請求項１に記載の化合物。
【請求項３】
ケモカイン介在疾患または状態の処置に使用するための、請求項１に記載の化合物、またはその薬学的に許容される塩。
【請求項４】
喘息、アレルギー性鼻炎、ＣＯＰＤ、炎症性腸疾患、骨関節症、骨粗鬆症、リウマチ性関節炎、または乾癬の処置用医薬として使用するための、請求項３に記載の化合物またはその薬学的に許容される塩。
【請求項５】
請求項１に記載の化合物またその薬学的に許容される塩を薬学的に許容される希釈剤または担体と共に含む、医薬組成物。
【請求項６】
請求項１に記載の化合物またはその薬学的に許容される塩の製造方法であって：
(ａ)  式(２ａ)
【化２】
2011528030.tif 000002
〔式中、ＰＧは保護基または２個の別々の水素原子であり、そしてＬは脱離基である。〕
の化合物を、式(２ｃ)
【化３】
2011528030.tif 000003
のスルホンアミドで、適当な塩基、触媒および溶媒の存在下で処理し、その後、場合により(ｉ)および／または(ii)を任意の順番で行うことを含む：
ｉ)  何らかの保護基の除去；
ii)  塩の形成；
あるいは
(ｂ)  式(２ｂ)
【化４】
2011528030.tif 000004
〔式中、ＰＧ２は保護基であり、そしてＬは脱離基である。〕
の化合物を、式(２ｄ)
【化５】
2011528030.tif 000005
〔式中、ＰＧは保護基または２個の別々の水素原子である。〕
のアミンで、適当な塩基、および溶媒の存在下で処理し、その後、場合により(ｉ)および／または(ii)を任意の順番で行うことを含む：
ｉ)  何らかの保護基の除去、
ii)  塩の形成
ことを含む、方法。
【請求項７】
式(１ａ)
【化６】
2011528030.tif 000006
の化合物、およびその薬学的に許容される塩。
【請求項８】
式(２ａ)
【化７】
2011528030.tif 000007
〔式中、Ｌはハロゲンである。〕
の化合物。
【請求項９】
式(２ｅ)
【化８】
2011528030.tif 000008
〔式中、Ｌはハロゲンである。〕
の化合物。
【請求項１０】
請求項１に記載の式(１)の化合物またはその薬学的に許容される塩、または式(１)の化合物を含む医薬組成物または製剤を、他の治療および／または他の治療剤と同時にまたは連続的に投与することを含む、組合せ治療。
【請求項１１】
喘息、アレルギー性鼻炎、ＣＯＰＤ、炎症性腸疾患、過敏性腸症候群、骨関節症、骨粗鬆症、リウマチ性関節炎、または乾癬の処置のための、請求項１０に記載の組合せ治療。
【請求項１２】
式(１)の化合物またはその薬学的に許容される塩を、他の薬剤と共に含む、医薬組成物。
【請求項１３】
喘息、アレルギー性鼻炎、ＣＯＰＤ、炎症性腸疾患、過敏性腸症候群、骨関節症、骨粗鬆症、リウマチ性関節炎、または乾癬の処置のための、請求項１２に記載の医薬組成物。
【請求項１４】
癌の処置のための、請求項１２に記載の医薬組成物。
【請求項１５】
次の結晶形態のいずれかである、請求項１に記載の化合物、またはその薬学的に許容される塩：
(ａ)表３に示すＸ線粉末回折(ＸＲＰＤ)パターンにより特徴付けられる(修飾Ａと命名)；
(ｂ)表４に示すＸ線粉末回折(ＸＲＰＤ)パターンにより特徴付けられる(修飾Ｂと命名)；
(ｃ)表５に示すＸ線粉末回折(ＸＲＰＤ)パターンにより特徴付けられる(修飾Ｃと命名)；
(ｄ)表６に示すＸ線粉末回折(ＸＲＰＤ)パターンにより特徴付けられる(修飾Ｄと命名)；
(ｅ)表７に示すＸ線粉末回折(ＸＲＰＤ)パターンにより特徴付けられる(修飾Ｅと命名)；または
(ｆ)表８に示すＸ線粉末回折(ＸＲＰＤ)パターンにより特徴付けられる(修飾Ｆと命名)。
【手続補正２】
【補正対象書類名】明細書
【補正対象項目名】０１２０
【補正方法】変更
【補正の内容】
【０１２０】
実施例３
スキーム１(以下に示す)に略記する経路を使用した、大規模で繰り返した実施例１の化合物の製造
【化１９】
2011528030.tif 000009
スキーム１
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
コンピューター実装グラフィクス処理システムであって、
画像におけるエッジをサンプリングしてジェオメトリー情報を分解するサンプリング・コンポーネントと、
アンチ・エリアシング・サンプリング情報を計算することによって、前記画像の品質を高める品質コンポーネントと、
シェーダーと、
を備え、
前記サンプリング・コンポーネントは、一画素内の前記エッジをスーパーサンプリングして前記シェーダーのためのスーパーサンプルを生成するよう構成され、
前記シェーダーは、それぞれのスーパーサンプルに対して追加のサンプルを決定するよう構成される、
システム。
【請求項２】
請求項１記載のシステムにおいて、前記サンプリング・コンポーネントが、エッジからの距離の手法と組み合わせて前記エッジをスーパーサンプリングするよう構成される、システム。
【請求項３】
請求項１記載のシステムにおいて、前記シェーダーが、前記エッジに関連のある画素に対して実行するように、より高い周波数でサンプリングするよう構成されたピクセル・シェーダーである、システム。
【請求項４】
請求項１記載のシステムであって、更に、前記エッジの両側においてスーパーサンプリングし、スーパーサンプルをテクスチャ・データに変換する三角形分割コンポーネントを備えている、システム。
【請求項５】
請求項１記載のシステムであって、更に、前記アンチ・エリアシング・サンプリング情報を計算するシェーダー・コンポーネントを備えている、システム。
【請求項６】
請求項１記載のシステムであって、更に、最終的なラスター化パスを出力するために前記画像をダウンサンプリングするダウンサンプリング・コンポーネントを備えており、前記画像が前記エッジを含む、システム。
【請求項７】
請求項１記載のシステムにおいて、前記サンプリング・コンポーネントおよび前記品質コンポーネントがグラフィクス処理部（ＧＰＵ）上において用いられ、前記ＧＰＵによって薄い形体が全体的に前記画像内にレンダリングされるようにした、システム。
【請求項８】
請求項８記載のシステムにおいて、前記外観が前記薄い形体のエッジであり、このエッジが１画素幅である、システム。
【請求項９】
グラフィクスを処理するコンピューター実装方法であって、
場面における形体の一画素内のエッジをオーバーサンプリングして複数のスーパーサンプルについてのジェオメトリー情報を得るステップと、
前記ジェオメトリー情報に基づいて、アンチ・エリアシング・サンプリング情報を、オフセット・テクスチャ単位として計算するステップと、
前記オフセット・テクスチャ単位を用いて、前記スーパーサンプルのそれぞれに対して追加のサンプリングを実行するステップと、
前記追加のサンプリングおよびジェオメトリー情報に基づいて、前記場面を再描画するステップと、
前記再描画された場面をダウンサンプリングして最終的なレンダリング結果を生成するステップと、
を備えている、方法。
【請求項１０】
請求項９記載の方法において、更に、前記オフセット・テクスチャ単位をベジエ・オブジェクトから得るステップを備えている、方法。
【請求項１１】
請求項９記載の方法であって、更に、薄い形体のサンプルを得るために、より高い周波数でピクセル・シェーダーを実行するステップを備えている、方法。
【請求項１２】
請求項９記載の方法であって、更に、前記アンチ・エリアシング・サンプリング情報を計算するために、頂点シェーダーを実行するステップを備えている、方法。
【請求項１３】
請求項９記載の方法であって、更に、前記追加のサンプリングを得るために、ピクセル・シェーダーを実行するステップを備えている、方法。
【請求項１４】
請求項９記載の方法であって、更に、
前記形体に対して三角形を発生するステップと、
前記三角形をエッジ部および外部に分割するステップと、
前記エッジ部をスーパーサンプル・バッファにスーパーサンプリングするステップと、
を備えている、方法。
【請求項１５】
請求項１４記載の方法であって、更に、
前記エッジ部について前記スーパーサンプル・バッファにおいて計算した画素を用いて、前記形体上にエッジ三角形を再描画するステップと、
次のフレームのために、前記スーパーサンプル・バッファの内容をクリアするステップと、
を備えている、方法。
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
バイト・コード符号化プロセスを用いて符号化された復調済みビットストリームを受信するステップと、
前記復調済みビットストリームの一部分をビット・サブセットに配列するステップと、
前記ビット・サブセットを並べ替えるステップと、
前記並べ替えを行ったビット・サブセットおよび前記バイト・コード符号化プロセスの性質に基づいて前記ビット・サブセットを復号するステップと、
を含む、ビットストリームを復号する方法。
【請求項２】
前記性質が、パリティ・チェックの性質である、請求項１に記載の方法。
【請求項３】
前記復号ステップが、原始多項式からのパリティ・チェック行列の生成に基づく２進低密度パリティ・チェック復号プロセスおよび非２進低密度パリティ・チェック復号プロセスの少なくとも一つを使用して復号を行うステップを含む、請求項１に記載の方法。
【請求項４】
前記復号ステップが、ビット・ベースのトレリス復号プロセスおよびシンボル・ベースのトレリス復号プロセスの少なくとも一つを使用して復号を行うステップを含む、請求項１に記載の方法。
【請求項５】
前記バイト・コード符号化プロセスが、ガロア体空間上の短い線形ブロック・コードに基づき、前記復号ステップが、ガロア体（２）空間、ガロア体（４）空間、およびガロア体（８）空間のうちの１つに基づく、請求項１に記載の方法。
【請求項６】
復調済みビットストリームを受信するステップと、
前記復調済みビットストリームの一部分をビット・サブセットに配列するステップと、
前記ビット・サブセット中のシンボルを特定するステップと、
前記シンボルの以前の復号状態、および前記ビット・サブセット中の少なくとも２つのビットの間の関係に基づいて、前記シンボルの現在状態を復号するステップと、
を含む、ビットストリームを復号する方法。
【請求項７】
前記関係が、１組のパリティ関係である、請求項６に記載の方法。
【請求項８】
前記ビット・サブセット中のシンボルを特定するステップが、前記ビット・サブセット中の複数のシンボルを特定することを含む、請求項６に記載の方法。
【請求項９】
前記復号ステップの前に、前記複数のシンボルを並べ替えるステップをさらに含み、復号ステップが、畳み込み復号プロセスを含む、請求項８に記載の方法。
【請求項１０】
バイト・コード符号化プロセスを用いて符号化された復調済みビットストリームを受信する手段と、
前記復調済みビットストリームの一部分をビット・サブセットにグループ化する手段と、
前記ビット・サブセットを並べ替える手段と、
前記並べ替えを行ったビット・サブセットおよび前記バイト・コード符号化プロセスの性質に基づいて前記ビット・サブセットを復号する手段と、
を備える、装置。
【請求項１１】
前記復号手段が、原始多項式からのパリティ・チェック行列の生成に基づく２進低密度パリティ・チェック復号プロセスおよび非２進低密度パリティ・チェック復号プロセスの少なくとも一つを使用して復号を行う手段を含む、請求項１０に記載の装置。
【請求項１２】
前記復号手段がビット・ベースのトレリス復号プロセスおよびシンボル・ベースのトレリス復号プロセスの少なくとも一つを使用して復号を行う手段を含む、請求項１０に記載の装置。
【請求項１３】
復調済みビットストリームを受信する手段と、
前記復調済みビットストリームの一部分をビット・サブセットに配列する手段と、
前記ビット・サブセット中のシンボルを特定する手段と、
前記シンボルの以前の復号状態、および前記ビット・サブセット中の少なくとも２つのビットの間の関係に基づいて、前記シンボルの現在状態を復号する手段と、
を備える、装置。
【請求項１４】
復号ステップの前に、前記複数のシンボルを並べ替える手段をさらに含む、請求項１３に記載の装置。
【請求項１５】
前記ビットストリームが、バイト・コード符号化プロセスを使用して符号化され、前記復号手段が、畳み込み復号プロセスを含む、請求項１３に記載の装置。
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
フィン型半導体デバイスのためのトレンチ分離方法であって、
ギャップ（３２２）によって隔てられている第１の伝導性フィンセット（３１４）及び第２の伝導性フィンセット（３１６）をバルク半導体基板（３０２）から形成することと、
前記第１の伝導性フィンセット（３１４）、前記第２の伝導性フィンセット（３１６）、及び前記バルク半導体基板（３０２）を覆う酸化物材質（３２４）であって、前記酸化物材質（３２４）の対向する側壁（３２８）によって画定される凹部（３２６）を前記ギャップ（３２２）に対応して形成する酸化物材質（３２４）を堆積させることと、
前記対向する側壁（３２８）に対して自己位置合わせされるトレンチ（３３６）を形成するために前記凹部（３２６）を前記バルク半導体基板（３０２）内にまで深くすることと、
前記トレンチ（３３６）を誘電体材質（３４０）で埋めることとを備えた方法。
【請求項２】
請求項１の方法であって、前記第１の伝導性フィンセット（３１４）及び前記第２の伝導性フィンセット（３１６）を形成するステップは、前記第１の伝導性フィンセット（３１４）における複数の伝導性フィン（３０４，３０６）及び前記第２の伝導性フィンセット（３１６）における複数の伝導性フィン（３０８，３１０）を形成する方法。
【請求項３】
請求項２の方法であって、前記第１の伝導性フィンセット（３１４）及び前記第２の伝導性フィンセット（３１６）を形成するステップは、指定されたフィンピッチ（３２０）に従って且つ前記ギャップ（３２２）が前記指定されたフィンピッチ（３２０）よりも大きな距離により前記第１の伝導性フィンセット（３１４）を前記第２の伝導性フィンセット（３１６）から隔てるように、前記第１の伝導性フィンセット（３１４）における前記複数の伝導性フィン（３０４，３０６）及び前記第２の伝導性フィンセット（３１６）における前記複数の伝導性フィン（３０８，３１０）を形成する方法。
【請求項４】
請求項１の方法であって、前記トレンチ（３３６）を埋めることは、前記バルク半導体基板（３０２）を覆い、前記第１の伝導性フィンセット（３１４）を覆い、且つ前記第２の伝導性フィンセット（３１６）を覆うように前記トレンチ（３３６）内に酸化物（３４０）を堆積させることを備えている方法。
【請求項５】
請求項４の方法であって、前記酸化物（３４０）を前記第１の伝導性フィンセット（３１４）及び前記第２の伝導性フィンセット（３１６）の高さまで研磨することを更に備えた方法。
【請求項６】
請求項５の方法であって、前記第１の伝導性フィンセット（３１４）の一部のみを露出させ且つ前記第２の伝導性フィンセット（３１６）の一部のみを露出させるために前記酸化物（３４０）をエッチングすることを更に備えた方法。
【請求項７】
半導体デバイス構造（３００）を製造する方法であって、
バルク半導体材質（３０２）、前記バルク半導体材質（３０２）から形成される第１の伝導性フィン構造（３０６）、及び前記第１の伝導性フィン構造（３０６）からギャップ（３２２）によって隔てられ前記バルク半導体材質（３０２）から形成される第２の伝導性フィン構造（３０８）を備えている基板を提供することと、
前記ギャップ（３２２）内であって且つ前記第１の伝導性フィン構造（３０６）及び前記第２の伝導性フィン構造（３０８）に隣接してスペーサ（３３２，３３４）を形成することと、
前記スペーサ（３３２，３３４）をエッチングマスクとして用いて前記バルク半導体材質（３０２）をエッチングして前記バルク半導体材質（３０２）内に分離トレンチ（３３６）を形成することと、
前記スペーサ（３３２，３３４）を覆い、前記第１の伝導性フィン構造（３０６）を覆い、且つ前記第２の伝導性フィン構造（３０８）を覆うように前記分離トレンチ（３３６）内に誘電体材質（３４０）を形成することと、
前記分離トレンチ（３３６）内の前記誘電体材質（３４０）を保ちながら前記誘電体材質（３４０）の少なくとも一部分及び前記スペーサ（３３２，３３４）の少なくとも一部分をエッチングして前記第１の伝導性フィン構造の上部（３４２）及び前記第２の伝導性フィン構造（３０８）の上部（３４２）を露出させることとを備えた方法。
【請求項８】
請求項７の方法であって、前記スペーサ（３３２，３３４）を形成することは、
記第１の伝導性フィン構造（３０６）、前記第２の伝導性フィン構造（３０８）、及び前記バルク半導体材質（３０２）を覆う酸化物材質（３２４）であって、前記ギャップ（３２２）に対応する凹部（３２６）を形成する酸化物材質（３２４）を堆積させることと、
前記凹部（３２６）が前記バルク半導体材質（３０２）まで拡張するように前記酸化物材質（３２４）を異方性エッチングすることとを備えている方法。
【請求項９】
請求項７の方法であって、前記誘電体材質（３４０）の少なくとも一部分及び前記スペーサ（３３２，３３４）の少なくとも一部分をエッチングする前に、前記誘電体材質（３４０）を前記第１の伝導性フィン構造（３０６）及び前記第２の伝導性フィン構造（３０８）の高さまで研磨することを更に備えた方法。
【請求項１０】
請求項７の方法であって、
前記第１の伝導性フィン構造（３０６）を含む第１のデバイス構造の製造を完了することと、
前記第２の伝導性フィン構造（３０８）を含む第２のデバイス構造の製造を完了することとを更に備え、
前記分離トレンチ（３３６）内の前記誘電体材質（３４０）は前記第１のデバイス構造を前記第２のデバイス構造から電気的に分離する方法。